【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
ユーザ端末に対してコンテンツを配信するコンテンツサーバと、リクエスト管理サーバとを備えたコミュニケーションシステムであって、
前記リクエスト管理サーバは、
当該リクエスト管理サーバと接続する機能を有する複数の音声通信端末の中から接続対象となる音声通信端末を抽出する抽出部と、
音声通信を行うための接続先であり前記コンテンツ毎に異なる接続先である接続先情報を前記抽出部によって抽出された音声通信端末に対して送信する接続先情報送信部と、
コンテンツを前記コンテンツサーバに配信する配信者端末と前記音声通信端末との通信を成立させる音声通信接続装置と
を有し、
前記コンテンツサーバは、
前記音声通信端末から前記音声通信接続装置に送信された音声情報を前記音声通信接続装置から受信し、前記配信者端末から配信されるコンテンツとともに複数のユーザ端末に配信する配信部
を有する
ことを特徴とするコミュニケーションシステム。
【請求項２】
前記音声通信端末は、携帯電話であり、
前記接続先情報は、電話番号である
ことを特徴とする請求項１記載のコミュニケーションシステム。
【請求項３】
前記コンテンツサーバの配信部は、前記配信者端末によってリアルタイムに生成され前記コンテンツサーバに配信されたコンテンツを前記複数のユーザ端末へ配信することを特徴とする請求項１または請求項２に記載のコミュニケーションシステム。
【請求項４】
前記リクエスト管理サーバは、
前記音声通信端末から、音声通信を行う要求である音声通信要求を受信する要求受信部を有し、
前記抽出部は、前記要求受信部が受信した音声通信要求に基づいて、音声通信要求があった音声通信端末の中から接続対象の音声通信端末を抽出し、
前記接続先情報送信部は、前記抽出部によって抽出された音声通信端末に対し接続先情報を送信する
ことを特徴とする請求項１から請求項３のうちいずれか１項に記載のコミュニケーションシステム。
【請求項５】
前記リクエスト管理サーバは、
前記音声通信端末を利用する利用者を識別するユーザ識別情報と優先して抽出される度合いを表す優先度とを対応付けて記憶するリクエストリスト記憶部を有し、
前記抽出部は、前記リクエストリスト記憶部に記憶された優先度に従ってユーザ識別情報を抽出することにより接続対象の音声通話端末を抽出する
ことを特徴とする請求項１から請求項４のうちいずれか１項に記載のコミュニケーションシステム。
【請求項６】
前記リクエスト管理サーバは、
前記ユーザ端末または前記音声通信端末のうち少なくともいずれかから送信される指示を受信した場合または、前記抽出部によって抽出が行われた場合に、前記リクエストリスト記憶部に記憶された優先度を更新するリスト管理部
を有することを特徴とする請求項５記載のコミュニケーションシステム。
【請求項７】
前記リクエストリスト記憶部は、
前記要求受信部が前記音声通信端末から送信される音声通信要求を受信する毎に、前記音声通信端末から送信されるユーザ識別情報を新たに記憶し、
前記リスト管理部は、
新たに記憶されたユーザ識別情報に対して当該ユーザ識別情報に対応するユーザに応じた優先度を対応づけて前記リクエストリスト記憶部に記憶する
ことを特徴とする請求項６記載のコミュニケーションシステム。
【請求項８】
前記リクエスト管理サーバは、
前記音声通信端末を利用するユーザの属性情報を前記音声通信端末毎に記憶する属性情報記憶部を有し、
前記抽出部は、前記属性情報記憶部に記憶された属性情報に基づいて、接続する対象として特定された属性情報に該当する音声通信端末の中から、接続対象の音声通信端末を抽出する
ことを特徴とする請求項１から請求項４のうちいずれか１項に記載のコミュニケーションシステム。
【請求項９】
前記コンテンツサーバは、前記リクエスト管理サーバに記憶された属性情報に基づいて、コンテンツの配信対象である属性情報に該当するユーザ端末に対し、コンテンツを配信することを特徴とする請求項８に記載のコミュニケーションシステム。
【請求項１０】
前記抽出部は、前記複数の音声通信端末のなかからランダムに接続対象の音声通信端末を抽出する
ことを特徴とする請求項１から請求項４のうちいずれか１項に記載のコミュニケーションシステム。
【請求項１１】
前記抽出部は、前記複数の音声通信端末のうち、音声通信要求を行った順に従って接続対象の音声通信端末を抽出する
ことを特徴とする請求項１から請求項４のうちいずれか１項に記載のコミュニケーションシステム。
【請求項１２】
前記抽出部は、前記抽出された接続対象の音声通信端末のなかから、さらに接続対象の音声通信端末の抽出を行う
ことを特徴とする請求項１から請求項１１のうちいずれか１項に記載のコミュニケーションシステム。
【請求項１３】
前記コンテンツサーバの配信部は、
複数の前記ユーザ端末に配信される前記コンテンツに応じて当該ユーザ端末から送信されるコメントを受信して記憶するコメント記憶部と、
前記コメント記憶部に記憶されたコメントを前記複数のユーザ端末に配信する
ことを特徴とする請求項１から請求項１２のうちいずれか１項に記載のコミュニケーションシステム。
【請求項１４】
ユーザ端末に対してコンテンツを配信するコンテンツサーバと、リクエスト管理サーバとを備えたコミュニケーションシステムにおけるコミュニケーション方法であって、
前記リクエスト管理サーバの抽出部が、
当該リクエスト管理サーバと接続する機能を有する複数の音声通信端末の中から接続対象となる音声通信端末を抽出し、
前記リクエスト管理サーバの接続先情報送信部が、
音声通信を行うための接続先であり前記コンテンツ毎に異なる接続先である接続先情報を前記抽出部によって抽出された音声通信端末に対して送信し、
前記リクエスト管理サーバの音声通信接続装置が、
コンテンツを前記コンテンツサーバに配信する配信者端末と前記音声通信端末との通信を成立させ、
前記コンテンツサーバの配信部は、
前記音声通信端末から前記音声通信接続装置に送信された音声情報を前記音声通信接続装置から受信し、前記配信者端末から配信されるコンテンツとともに複数のユーザ端末に配信する
ことを特徴とするコミュニケーション方法。
【請求項１５】
音声通信端末から送信される音声と配信者端末から配信されるコンテンツとを複数のユーザ端末に配信するコンテンツサーバと、リクエスト管理サーバとを備えたコミュニケーションシステムにおけるリクエスト管理サーバであるコンピュータに、
当該リクエスト管理サーバと接続する機能を有する複数の音声通信端末の中から接続対象となる音声通信端末を抽出する抽出手段、
音声通信を行うための接続先であり前記コンテンツ毎に異なる接続先である接続先情報を前記抽出部によって抽出された音声通信端末に対して送信する接続先情報送信部と、
コンテンツを前記コンテンツサーバに配信する配信者端末と前記音声通信端末との通信を成立させる音声通信接続手段、
として機能させるプログラム。
【手続補正２】
【補正対象書類名】明細書
【補正対象項目名】発明の名称
【補正方法】変更
【補正の内容】
【発明の名称】コミュニケーションシステム、コミュニケーション方法、プログラム
【手続補正３】
【補正対象書類名】明細書
【補正対象項目名】０００６
【補正方法】変更
【補正の内容】
【０００６】
本発明は、このような事情に鑑みてなされたもので、その目的は、テキスト以外の情報も利用しつつ、新たなコミュニケーション空間を提供することができるコミュニケーションシステム、コミュニケーション方法、プログラムを提供することにある。
【手続補正４】
【補正対象書類名】明細書
【補正対象項目名】０００７
【補正方法】変更
【補正の内容】
【０００７】
上述した課題を解決するために、本発明は、ユーザ端末に対してコンテンツを配信するコンテンツサーバと、リクエスト管理サーバとを備えたコミュニケーションシステムであって、前記リクエスト管理サーバは、当該リクエスト管理サーバと接続する機能を有する複数の音声通信端末の中から接続対象となる音声通信端末を抽出する抽出部と、音声通信を行うための接続先であり前記コンテンツ毎に異なる接続先である接続先情報を前記抽出部によって抽出された音声通信端末に対して送信する接続先情報送信部と、コンテンツを前記コンテンツサーバに配信する配信者端末と前記音声通信端末との通信を成立させる音声通信接続装置とを有し、前記コンテンツサーバは、前記音声通信端末から前記音声通信接続装置に送信された音声情報を前記音声通信接続装置から受信し、前記配信者端末から配信されるコンテンツとともに複数のユーザ端末に配信する配信部を有することを特徴とする。
【手続補正５】
【補正対象書類名】明細書
【補正対象項目名】０００９
【補正方法】変更
【補正の内容】
【０００９】
また、本発明は、上述のコミュニケーションシステムにおいて、前記コンテンツサーバの配信部は、前記配信者端末によってリアルタイムに生成され前記コンテンツサーバに配信されたコンテンツを前記複数のユーザ端末へ配信することを特徴とする。
【手続補正６】
【補正対象書類名】明細書
【補正対象項目名】００１０
【補正方法】変更
【補正の内容】
【００１０】
また、本発明は、上述のコミュニケーションシステムにおいて、前記リクエスト管理サーバは、前記音声通信端末から、音声通信を行う要求である音声通信要求を受信する要求受信部を有し、前記抽出部は、前記要求受信部が受信した音声通信要求に基づいて、音声通信要求があった音声通信端末の中から接続対象の音声通信端末を抽出し、前記接続先情報送信部は、前記抽出部によって抽出された音声通信端末に対し接続先情報を送信することを特徴とする。
【手続補正７】
【補正対象書類名】明細書
【補正対象項目名】００１２
【補正方法】変更
【補正の内容】
【００１２】
また、本発明は、上述のコミュニケーションシステムにおいて、前記リクエスト管理サーバは、前記ユーザ端末または前記音声通信端末のうち少なくともいずれかから送信される指示を受信した場合または、前記抽出部によって抽出が行われた場合に、前記リクエストリスト記憶部に記憶された優先度を更新するリスト管理部を有することを特徴とする。
【手続補正８】
【補正対象書類名】明細書
【補正対象項目名】００１３
【補正方法】変更
【補正の内容】
【００１３】
また、本発明は、上述のコミュニケーションシステムにおいて、前記リクエストリスト記憶部は、前記要求受信部が前記音声通信端末から送信される音声通信要求を受信する毎に、前記音声通信端末から送信されるユーザ識別情報を新たに記憶し、前記リスト管理部は、新たに記憶されたユーザ識別情報に対して当該ユーザ識別情報に対応するユーザに応じた優先度を対応づけて前記リクエストリスト記憶部に記憶することを特徴とする。
【手続補正９】
【補正対象書類名】明細書
【補正対象項目名】００１８
【補正方法】変更
【補正の内容】
【００１８】
また、本発明は、上述のコミュニケーションシステムにおいて、前記抽出部は、前記抽出された接続対象の音声通信端末のなかから、さらに接続対象の音声通信端末の抽出を行うことを特徴とする。
また、本発明は、上述のコミュニケーションシステムにおいて、前記コンテンツサーバの配信部は、複数の前記ユーザ端末に配信される前記コンテンツに応じて当該ユーザ端末から送信されるコメントを受信して記憶するコメント記憶部と、前記コメント記憶部に記憶されたコメントを前記複数のユーザ端末に配信することを特徴とする。
また、本発明は、ユーザ端末に対してコンテンツを配信するコンテンツサーバと、リクエスト管理サーバとを備えたコミュニケーションシステムにおけるコミュニケーション方法であって、前記リクエスト管理サーバの抽出部が、当該リクエスト管理サーバと接続する機能を有する複数の音声通信端末の中から接続対象となる音声通信端末を抽出し、前記リクエスト管理サーバの接続先情報送信部が、音声通信を行うための接続先であり前記コンテンツ毎に異なる接続先である接続先情報を前記抽出部によって抽出された音声通信端末に対して送信し、前記リクエスト管理サーバの音声通信接続装置が、コンテンツを前記コンテンツサーバに配信する配信者端末と前記音声通信端末との通信を成立させ、前記コンテンツサーバの配信部は、前記音声通信端末から前記音声通信接続装置に送信された音声情報を前記音声通信接続装置から受信し、前記配信者端末から配信されるコンテンツとともに複数のユーザ端末に配信することを特徴とする。
【手続補正１０】
【補正対象書類名】明細書
【補正対象項目名】００１９
【補正方法】変更
【補正の内容】
【００１９】
また、本発明は、音声通信端末から送信される音声と配信者端末から配信されるコンテンツとを複数のユーザ端末に配信するコンテンツサーバと、リクエスト管理サーバとを備えたコミュニケーションシステムにおけるリクエスト管理サーバであるコンピュータに、当該リクエスト管理サーバと接続する機能を有する複数の音声通信端末の中から接続対象となる音声通信端末を抽出する抽出手段、音声通信を行うための接続先であり前記コンテンツ毎に異なる接続先である接続先情報を前記抽出部によって抽出された音声通信端末に対して送信する接続先情報送信部と、コンテンツを前記コンテンツサーバに配信する配信者端末と前記音声通信端末との通信を成立させる音声通信接続手段、として機能させるプログラムである。